(57)【要約】【課題】インパクト回転工具における慣性モーメントを効果的に増加させる技術を提供する。【解決手段】モータ２は、ステータ４と、モータシャフト５が取り付けられたロータ３を有する。前端側軸受１２は、モータシャフト５の前端側を支持する。後端側軸受１３は、モータシャフト５の後端側を支持する。減速機６は、モータシャフト５の回転を減速して駆動軸７に伝達する。インパクト機構は、駆動軸７の回転力を利用して出力軸１０に間欠的な回転衝撃力を発生させる。錘部材３０は、モータシャフト５に取り付けられる。【選択図】図１
2020146768.tif 000002
【特許請求の範囲】
【請求項１】
ステータと、モータシャフトが取り付けられたロータを有するモータと、
前記モータシャフトの前端側を支持する前端側軸受と、
前記モータシャフトの後端側を支持する後端側軸受と、
前記モータシャフトの回転を減速して駆動軸に伝達する減速機と、
前記駆動軸の回転力を利用して出力軸に間欠的な回転衝撃力を発生させるインパクト機構と、
前記モータシャフトに取り付けられる錘部材と、
を備えるインパクト回転工具。
【請求項２】
前記錘部材は、前記前端側軸受または前記後端側軸受と、前記ロータとの間に配置される、
ことを特徴とする請求項１に記載のインパクト回転工具。
【請求項３】
前記錘部材は、前記ステータの内径よりも小さい径を有し、前記錘部材の少なくとも一部が、前記ステータの内側に配置される、
ことを特徴とする請求項２に記載のインパクト回転工具。
【請求項４】
前記錘部材は、前記ロータの後方側に配置される、
ことを特徴とする請求項１から３のいずれかに記載のインパクト回転工具。
【発明の詳細な説明】
【技術分野】
【０００１】
本開示は、ボルトやナットなどのねじ部材を間欠的な回転衝撃力により締め付けるインパクト回転工具に関する。
【背景技術】
【０００２】
特許文献１は、回転軸に固定された回転子と、固定子と、回転軸に固定された冷却ファンとを備えたモータであって、冷却ファンの複数の羽の密度を、冷却ファンを回転軸に対して固定させる内周部に対して増加させたモータを開示する。
【先行技術文献】
【特許文献】
【０００３】
【特許文献１】特開２００８−１８７７６６号公報
【発明の概要】
【発明が解決しようとする課題】
【０００４】
インパクト回転工具では、駆動軸の回転力を利用してハンマでアンビルを打撃し、出力軸に間欠的な回転衝撃力を発生させる。ハンマがアンビルを回転方向に打撃すると、その反力をモータが受けることでモータ回転速度は低下する。回転速度の低下が大きいと、モータを加速するために必要な電力が増加する。
【０００５】
取り扱いの容易さを実現するために、電動工具には軽量化、小型化が要求される。一方で、ハンマの回転打撃によるモータ回転速度低下を抑制するためには、慣性モーメントを増加させることが必要となる。そのため電動工具の軽量化、小型化の要求を満たしつつ、効果的に慣性モーメントを増加させることが望まれる。
【０００６】
本開示はこうした状況に鑑みなされたものであり、その目的は、インパクト回転工具における慣性モーメントを効果的に増加させる技術を提供することにある。
【課題を解決するための手段】
【０００７】
上記課題を解決するために、本発明のある態様のインパクト回転工具は、ステータと、モータシャフトが取り付けられたロータを有するモータと、モータシャフトの前端側を支持する前端側軸受と、モータシャフトの後端側を支持する後端側軸受と、モータシャフトの回転を減速して駆動軸に伝達する減速機と、駆動軸の回転力を利用して出力軸に間欠的な回転衝撃力を発生させるインパクト機構と、モータシャフトに取り付けられる錘部材とを備える。
【発明の効果】
【０００８】
本開示によれば、インパクト回転工具における慣性モーメントを増加させる技術を提供できる。
【図面の簡単な説明】
【０００９】
【図１】実施例に係るインパクト回転工具の概略構成を示す図である。
【図２】錘部材の断面の例を示す図である。
【図３】錘部材の断面の別の例を示す図である。
【図４】モータ周辺の概略構成の別の例を示す図である。
【図５】モータ周辺の概略構成の別の例を示す図である。
【発明を実施するための形態】
【００１０】
図１は、本開示の実施例に係るインパクト回転工具１の概略構成を示す。インパクト回転工具１の側面視において、出力軸１０が配置された側を工具前方、その反対側を工具後方と呼び、以下において「前」、「後」は、相対的な位置関係を表現するために使用される。
【００１１】
制御部２０は、制御基板に搭載されるマイクロコンピュータなどにより実現され、電力をバッテリ２１から供給される。工具前方側には、トリガスイッチである操作スイッチ１１が配置され、制御部２０は、ユーザによる操作スイッチ１１の操作量に応じてモータ２の印加電力を制御し、モータ回転速度を調整する。
【００１２】
図１において断面視されるモータ２は、ハウジング１４に固定されるステータ４と、モータシャフト５が取り付けられたロータ３を有する。前端側軸受１２および後端側軸受１３はハウジング１４に固定され、前端側軸受１２は、モータシャフト５の前端側を回転可能に支持し、後端側軸受１３は、モータシャフト５の後端側を回転可能に支持する。
【００１３】
減速機６は、モータシャフト５の回転を所定の減速比で減速して、駆動軸７に伝達する。減速機６は、モータシャフト５に取り付けられたピニオンギヤに噛み合う遊星歯車機構であってよい。駆動軸７には、カム機構（図示せず）を介してハンマ８が連結される。ハンマ８は、ばね部材（図示せず）により出力軸１０を備えるアンビル９に向けて付勢される。
【００１４】
駆動軸７の回転中、ハンマ８とアンビル９との間に所定値以上の負荷が作用しない間は、ハンマ８とアンビル９とが回転方向に係合し、ハンマ８は、駆動軸７の回転をアンビル９に伝達する。しかしながらハンマ８とアンビル９との間に所定値以上の負荷が作用すると、ハンマ８がカム機構によりばね部材に抗して後退し、ハンマ８とアンビル９との係合状態が解除される。その後、ばね部材による付勢とカム機構による誘導により、ハンマ８は回転しながら前進してアンビル９に回転方向の打撃を加える。インパクト回転工具１において、ばね部材、ハンマ８およびカム機構は、駆動軸７の回転力を利用してアンビル９および出力軸１０に打撃衝撃を与えて、間欠的な回転衝撃力を発生させるインパクト機構を構成する。
【００１５】
ハンマ８がアンビル９を打撃したときに生じる反力を効率的に吸収するためには、慣性モーメントを増加させればよいが、一方で工具の軽量化および小型化を実現するために、質量増加分はできるだけ小さいことが好ましい。本開示者は、慣性エネルギが回転速度の２乗に比例することから、回転速度の大きな部材の重量を増加する方が、回転速度の小さな部材の質量を増加するよりも効果的に慣性エネルギを得られることを見いだした。このため実施例のインパクト回転工具１では、錘部材３０が、減速機６により減速される前の回転軸、つまりモータシャフト５に取り付けられる。
【００１６】
実施例で錘部材３０は、前端側軸受１２とロータ３との間に配置される。錘部材３０は回転軸を中心とした点対称形状を有し、円盤形状であってよい。錘部材３０は、たとえば鉄系材料で形成されてよいが、鉄系材料よりも比重の大きい銅系材料で形成されてよい。
【００１７】
なお慣性モーメントを増やすためには、錘部材３０の全てを比重の大きい材料で形成することが好ましいが、その分の重量は増加する。そこで錘部材３０のうち、内側部分を相対的に比重の小さい材料で形成し、外側部分を相対的に比重の大きい材料で形成してもよい。
【００１８】
図２は、錘部材３０の断面の例を示す。錘部材３０において内側部分３０ａは、相対的に比重の小さい材料で形成され、外側部分３０ｂは、相対的に比重の大きい材料で形成される。このように外側部分３０ｂを相対的に比重の大きい材料で形成することで、慣性モーメントを効果的に大きくできる。
【００１９】
図３は、錘部材３０の断面の別の例を示す。この錘部材３０は、外周部分に軸方向に突き出した張り出し部３０ｃを有し、内側部分よりも外側部分の厚みを大きくしている。これにより同じ質量で径方向の厚みを等しく揃えた場合と比較して、慣性モーメントを効果的に大きくできる。
【００２０】
錘部材３０は、ステータ４の内径よりも小さい径を有し、錘部材３０の少なくとも一部が、ステータ４の内側に配置されることが好ましい。図１に示す例では、錘部材３０の全体が、ステータ４で囲まれる空間内に収容されている。これにより錘部材３０を配置するスペースを別途設ける必要がなく、インパクト回転工具１の小型化に寄与する。
【００２１】
図４は、モータ周辺の概略構成の別の例を示す。錘部材３１は、後端側軸受１３とロータ３との間に配置される。錘部材３１は、ステータ４の内径よりも小さい径を有し、錘部材３１の一部が、ステータ４で囲まれる空間内に収容され、錘部材３１の残りの部分はステータ４の後端から外側に出ている。このようにロータ３と後端側軸受１３の間に存在する空きスペースに錘部材３１を配置することで、インパクト回転工具１の小型化に寄与できる。
【００２２】
図５は、モータ周辺の概略構成のさらに別の例を示す。錘部材３２は、ロータ３の後方側であって、後端側軸受１３よりも後方側に配置される。錘部材３２は、錘部材３０および錘部材３１と異なり、ステータ４の内側に配置される部分をもたない。そのため錘部材３２は、ステータ４の内径よりも大きい径を有してよい。錘部材３２は、錘部材３１や錘部材３２と同じ材料および同じ質量であっても、厚みを薄くして径を大きくすることで、大きな慣性モーメントを得られるようになる。
【００２３】
以上、本開示を実施例をもとに説明した。この実施例は例示であり、それらの各構成要素あるいは各処理プロセスの組合せにいろいろな変形例が可能なこと、またそうした変形例も本開示の範囲にあることは当業者に理解されるところである。
【００２４】
図４に一部がステータ４内に収容され、残りの部分がステータ４の端部から外側に出ている錘部材３１を示したが、ステータ４に収容されない部分の径は、ステータ４の内径より大きくてよい。これにより慣性モーメントを効果的に増加させられる。なおモータシャフト５には、錘部材３０、３１、３２の少なくとも２つが取り付けられてもよい。
【００２５】
本開示の態様の概要は、次の通りである。
本発明のある態様のインパクト回転工具（１）は、ステータ（４）と、モータシャフト（５）が取り付けられたロータ（３）を有するモータ（２）と、モータシャフト（５）の前端側を支持する前端側軸受（１２）と、モータシャフト（５）の後端側を支持する後端側軸受（１３）と、モータシャフト（５）の回転を減速して駆動軸（７）に伝達する減速機（６）と、駆動軸（７）の回転力を利用して出力軸（１０）に間欠的な回転衝撃力を発生させるインパクト機構と、モータシャフト（５）に取り付けられる錘部材（３０、３１、３２）とを備える。
【００２６】
錘部材（３０、３１）は、前端側軸受（１２）または後端側軸受（１３）と、ロータ（３）との間に配置されてよい。錘部材（３０、３１）は、ステータ（４）の内径よりも小さい径を有し、錘部材（３０）の少なくとも一部が、ステータ（４）の内側に配置されてよい。また錘部材（３１、３２）は、ロータ（３）の後方側に配置されてよい。
【符号の説明】
【００２７】
１・・・インパクト回転工具、２・・・モータ、３・・・ロータ、４・・・ステータ、５・・・モータシャフト、６・・・減速機、７・・・駆動軸、８・・・ハンマ、９・・・アンビル、１０・・・出力軸、１１・・・操作スイッチ、１２・・・前端側軸受、１３・・・後端側軸受、１４・・・ハウジング、２０・・・制御部、２１・・・バッテリ、３０・・・錘部材、３０ａ・・・内側部分、３０ｂ・・・外側部分、３０ｃ・・・張り出し部、３１，３２・・・錘部材。
【図１】
2020146768.tif 000003
【図２】
2020146768.tif 000004
【図３】
2020146768.tif 000005
【図４】
2020146768.tif 000006
【図５】
2020146768.tif 000007